(57)【要約】【課題】間欠受信周期毎に間欠的に受信動作を行う場合に受信動作開始時の起動時間を短縮する。【解決手段】受信動作を終了する前には、ＡＧＣ回路起動タイミング算出部１３０は、速度情報およびパスアサイン情報の１つ以上を利用して、ＴＣＸＯ１１０での目標周波数に対する周波数誤差の許容値に相当するＡＧＣ回路起動タイミングを算出し、また、受信レベル補正係数初期値算出部１３１は、受信信号の受信レベル情報およびＴＣＸＯ１１０での目標周波数に対する周波数誤差情報を利用して受信レベル補正係数初期値を算出する。受信動作開始時には、ＡＧＣ制御部１２４は、前回の受信動作時に算出されたＡＧＣ回路起動タイミングでＡＧＣ回路１０３を起動し、また、前回の受信動作時に算出された受信レベル補正係数初期値を用いて、ＡＧＣ回路１０３に入力された受信信号の受信レベルを補正する。【選択図】図１
2005260670.tif 000002
【特許請求の範囲】
【請求項１】
間欠受信周期毎に間欠的に高速クロックを用いて受信信号の受信動作を行い、非受信動作時には低速クロックを用いて前記間欠受信周期を生成する携帯情報通信端末において、
前記低速クロックを常時発生する低速クロック回路と、
受信動作時に前記高速クロックを発生し、非受信動作時には動作が停止されるＴＣＸＯと、
前記受信信号の受信レベルの利得を制御するＡＧＣ回路と、
前記携帯情報通信端末の移動速度に関する速度情報を取得する速度情報取得部と、
前記携帯情報通信端末に到達するパスに関するパスアサイン情報を取得するパスアサイン情報取得部と、
受信動作終了前に、前記速度情報取得部により取得された速度情報または前記パスアサイン情報取得部により取得されたパスアサイン情報の１つ以上を利用し、次回の受信動作時に前記ＴＣＸＯの起動後に前記ＡＧＣ回路を起動するタイミングであって前記ＴＣＸＯでの目標周波数に対する周波数誤差の許容値に相当するＡＧＣ回路起動タイミングを算出するＡＧＣ回路起動タイミング算出部と、
受信動作開始時に、前記ＴＣＸＯの起動後、前記ＴＣＸＯでの前記周波数誤差が、前記ＡＧＣ回路起動タイミング算出部により前回の受信動作時に算出されたＡＧＣ回路起動タイミングと一致した時点で、前記ＡＧＣ回路を起動するＡＧＣ制御部とを有する携帯情報通信端末。
【請求項２】
前記受信信号の受信レベルを測定する受信レベル測定部と、
受信動作終了前に、前記受信レベル測定部により測定された受信信号の受信レベル情報および前記ＴＣＸＯでの前記周波数誤差情報を利用し、受信レベル補正係数初期値を算出する受信レベル補正係数初期値算出部とをさらに有し、
前記ＡＧＣ制御部は、受信動作開始時に、前記受信レベル補正係数初期値算出部により前回の受信動作時に算出された受信レベル補正係数初期値を用いて、前記ＡＧＣ回路に入力された受信信号の受信レベルを補正し、補正後の受信信号を前記ＡＧＣ回路に再入力する、請求項１に記載の携帯情報通信端末。
【請求項３】
間欠受信周期毎に間欠的に高速クロックを用いて受信信号の受信動作を行い、非受信動作時には低速クロックを用いて前記間欠受信周期を生成する携帯情報通信端末において、
前記低速クロックを常時発生する低速クロック回路と、
受信動作時に前記高速クロックを発生し、非受信動作時には動作が停止されるＴＣＸＯと、
前記受信信号の受信レベルの利得を制御するＡＧＣ回路と、
前記受信信号の受信レベルを測定する受信レベル測定部と、
受信動作終了前に、前記受信レベル測定部により測定された受信信号の受信レベル情報および前記ＴＣＸＯでの目標周波数に対する周波数誤差情報を利用し、受信レベル補正係数初期値を算出する受信レベル補正係数初期値算出部と、
受信動作開始時に、前記ＴＣＸＯの起動後、前記ＴＣＸＯでの前記周波数誤差に基づく任意のタイミングで前記ＡＧＣ回路を起動するとともに、前記受信レベル補正係数初期値算出部により前回の受信動作時に算出された受信レベル補正係数初期値を用いて、前記ＡＧＣ回路に入力された受信信号の受信レベルを補正し、補正後の受信信号を前記ＡＧＣ回路に再入力するＡＧＣ制御部とを有する携帯情報通信端末。
【請求項４】
前記携帯情報通信端末の移動速度に関する速度情報を取得する速度情報取得部と、
前記携帯情報通信端末に到達するパスに関するパスアサイン情報を取得するパスアサイン情報取得部と、
受信動作終了前に、前記速度情報取得部により取得された速度情報または前記パスアサイン情報取得部により取得されたパスアサイン情報の１つ以上を利用し、前記ＴＣＸＯの起動後に前記ＡＧＣ回路を起動するタイミングであって前記ＴＣＸＯでの前記周波数誤差の許容値に相当するＡＧＣ回路起動タイミングを算出するＡＧＣ回路起動タイミング算出部とをさらに有し、
前記ＡＧＣ制御部は、受信動作開始時に、前記ＴＣＸＯの起動後、前記ＴＣＸＯでの前記周波数誤差が、前記ＡＧＣ回路起動タイミング算出部により前回の受信動作時に算出されたＡＧＣ回路起動タイミングと一致した時点で、前記ＡＧＣ回路を起動する、請求項３に記載の携帯情報通信端末。
【請求項５】
前記携帯情報通信端末の内部に電源電圧を供給する電池と、
前記ＴＣＸＯの近傍の温度を検知する温度センサと、
受信動作終了前に、前記電池の電池レベル情報および前記温度センサで検知された前記ＴＣＸＯの近傍の温度情報を利用し、前記ＴＣＸＯのＴＣＸＯ設定値を算出するＴＣＸＯ設定値算出部とをさらに有し、
前記ＴＣＸＯは、受信動作開始時に、前記ＴＣＸＯ設定値により前回の受信動作時に算出されたＴＣＸＯ設定値に基づいて前記目標周波数を設定する、請求項１から４のいずれか１項に記載の携帯情報通信端末。
【発明の詳細な説明】
【技術分野】
【０００１】
本発明は、間欠受信周期毎に間欠的に基地局からの受信信号の受信動作を行う携帯情報通信端末に関する。
【背景技術】
【０００２】
従来、携帯情報通信端末においては、基地局との間で信号の通信を行う期間として、受信期間、アイドル期間、送信期間の各々の期間が存在する。このうち受信期間と送信期間とは一部が重複しており、その重複期間においては、基地局からの受信信号の受信とともに、基地局への送信信号の送信が行われている。
【０００３】
この種の携帯情報通信端末においては、待受け状態になると、全ての受信期間で基地局からの受信信号を順次受信するのではなく、所望の受信期間でのみ基地局からの受信信号を順次受信する動作が繰り返される。つまり、ある受信期間において受信が行われると、次の所望の受信期間まで基地局からの信号の受信を行わずに、次の所望の受信期間になった時点で基地局からの受信信号を受信する受信動作が行われる。
【０００４】
このように間欠的に受信動作を行う携帯情報通信端末においては、基地局からの受信信号を受信しない非受信動作時には、ＴＣＸＯ（温度補償水晶発振器）等の高速クロックを発生する手段の動作を停止し、低速クロックのみを発生することで、消費電力の低減を図っている（例えば、特許文献１，２参照）。そのため、次に基地局からの受信信号の受信動作を行うタイミング、すなわち受信動作を行う周期（以下、間欠受信周期と称する）は、低速クロックの計数結果に基づき算出されることになる。
【特許文献１】特開２０００−２４４３５１号公報
【特許文献２】特開２０００−３６７７０号公報
【発明の開示】
【発明が解決しようとする課題】
【０００５】
しかしながら、間欠的に受信動作を行う携帯情報通信端末においては、間欠受信周期毎に、ＴＣＸＯを再起動し、ＴＣＸＯの動作が安定してから、受信信号の受信レベルを増幅するＡＧＣ回路を再起動し、ＡＧＣ回路の動作が安定した後、ようやく受信処理が開始されることになる。したがって、間欠受信周期毎に、ＴＣＸＯおよびＡＧＣ回路が起動され、その動作が安定化するまで多大な時間を要するため、起動時間が増大し、それにより、消費電流が増大してしまうという問題点がある。
【０００６】
そこで、本発明の目的は、間欠受信周期毎に受信動作を行う場合において、受信動作開始時の起動時間を短縮し、消費電流の増大を抑えることができる携帯情報通信端末を提供することにある。
【課題を解決するための手段】
【０００７】
本発明の第１の態様による携帯情報通信端末は、間欠受信周期毎に間欠的に受信動作を行う場合、受信動作終了前に、携帯情報通信端末の移動速度に関する速度情報、または携帯情報通信端末に到達するパスに関するパスアサイン情報の１つ以上を利用し、次回の受信動作時にＴＣＸＯの起動後にＡＧＣ回路を起動するタイミングであってＴＣＸＯでの目標周波数に対する周波数誤差の許容値に相当するＡＧＣ回路起動タイミングを算出するＡＧＣ回路起動タイミング算出部と、受信動作開始時に、ＴＣＸＯの起動後、ＴＣＸＯでの周波数誤差が、ＡＧＣ回路起動タイミング算出部により前回の受信動作時に算出されたＡＧＣ回路起動タイミングと一致した時点で、ＡＧＣ回路を起動するＡＧＣ制御部とを有する点に特徴がある。
【０００８】
この構成によれば、受信動作開始時に、ＴＣＸＯが安定するのを待たずとも、ＴＣＸＯの周波数誤差が速度情報またはパスアサイン情報に基づく許容値に到達した時点でＡＧＣ回路の起動動作を行うことができ、それにより、起動時間の短縮化を図ることができる。
【０００９】
また、受信動作終了前に、受信信号の受信レベル情報およびＴＣＸＯでの周波数誤差情報を利用し、受信レベル補正係数初期値を算出する受信レベル補正係数初期値算出部とをさらに有し、ＡＧＣ制御部が、受信動作開始時に、受信レベル補正係数初期値算出部により前回の受信動作時に算出された受信レベル補正係数初期値を用いて、ＡＧＣ回路に入力された受信信号の受信レベルを補正し、補正後の受信信号をＡＧＣ回路に再入力することとしても良い。
【００１０】
この構成によれば、受信動作開始時に、受信レベル情報およびＴＣＸＯでの周波数誤差情報に基づく受信レベル補正係数初期値を用いて、ＡＧＣ回路に入力された受信信号の受信レベルを補正することができるため、ＴＣＸＯが安定するのを待たずとも、ＡＧＣ回路の起動動作および安定化動作を行うことができ、それにより、起動時間のさらなる短縮化を図ることができる。
【００１１】
本発明の第２の態様による携帯情報通信端末は、間欠受信周期毎に間欠的に受信動作を行う場合、受信動作終了前に、受信レベル測定部により測定された受信信号の受信レベル情報およびＴＣＸＯでの目標周波数に対する周波数誤差情報を利用し、受信レベル補正係数初期値を算出する受信レベル補正係数初期値算出部と、受信動作開始時に、ＴＣＸＯの起動後、ＴＣＸＯでの周波数誤差に基づく任意のタイミングでＡＧＣ回路を起動するとともに、受信レベル補正係数初期値算出部により前回の受信動作時に算出された受信レベル補正係数初期値を用いて、ＡＧＣ回路に入力された受信信号の受信レベルを補正し、補正後の受信信号をＡＧＣ回路に再入力するＡＧＣ制御部とを有する点に特徴がある。
【００１２】
この構成によれば、受信動作開始時に、受信レベル情報およびＴＣＸＯでの周波数誤差情報に基づく受信レベル補正係数初期値を用いて、ＡＧＣ回路に入力された受信信号の受信レベルを補正することができるため、ＴＣＸＯが安定するのを待たずとも、ＡＧＣ回路の起動動作および安定化動作を行うことができ、それにより、起動時間の短縮化を図ることができる。
【００１３】
また、受信動作終了前に、携帯情報通信端末の移動速度に関する速度情報、または携帯情報通信端末に到達するパスに関するパスアサイン情報の１つ以上を利用し、次回の受信動作時にＴＣＸＯの起動後にＡＧＣ回路を起動するタイミングであってＴＣＸＯでの目標周波数に対する周波数誤差の許容値に相当するＡＧＣ回路起動タイミングを算出するＡＧＣ回路起動タイミング算出部とをさらに有し、ＡＧＣ制御部が、受信動作開始時に、ＴＣＸＯの起動後、ＴＣＸＯでの周波数誤差が、ＡＧＣ回路起動タイミング算出部により前回の受信動作時に算出されたＡＧＣ回路起動タイミングと一致した時点で、ＡＧＣ回路を起動することとしても良い。
【００１４】
この構成によれば、携帯情報通信端末の通信状況（移動状況や、パス状況）が、ＴＣＸＯが安定するのを待たずにＡＧＣ回路を早めに起動できる状況にある場合等において、ＴＣＸＯの周波数誤差が速度情報またはパスアサイン情報に基づく許容値に到達した時点でＡＧＣ回路の起動動作を行うことができるため、それにより、起動時間のさらなる短縮化を図ることができる。
【発明の効果】
【００１５】
上述したように本発明においては、間欠受信周期毎に間欠的に受信動作を行う場合、受信動作開始時に、ＴＣＸＯが安定するのを待たずとも、ＡＧＣ回路の起動動作を行うこと、または、ＡＧＣ回路の起動動作および安定化動作を行うことができるため、起動時間を短縮し、消費電流の増大を抑えることができるという効果が得られる。
【発明を実施するための最良の形態】
【００１６】
以下に、本発明を実施するための最良の形態について図面を参照して説明する。
【００１７】
図１を参照すると、本実施形態による携帯情報通信端末は、間欠受信周期毎に間欠的に高速クロックを用いて受信信号の受信動作を行い、非受信動作時には低速クロックを用いて間欠受信周期を生成する端末である。この携帯情報通信端末は、アンテナ１０１と、ＲＦユニット１０２と、ＡＧＣ回路１０３と、ＡＦＣ回路１０４と、変復調回路１０５と、ベースバンド処理回路１０６と、速度情報取得部１０７と、パスアサイン情報取得部１０８と、制御部１０９と、ＴＣＸＯ１１０と、低速クロック回路１１１と、ＰＬＬ回路１１２と、スイッチ１１３と、誤差カウンタ１１４と、コーデック回路１１５と、Ａ／Ｄ変換部１１６と、記録部１１７と、表示器１１８と、マイクロホン１１９と、スピーカ１２０と、操作部１２１と、温度センサ１２２と、電池１２３とを有している。なお、図１において、点線で囲まれた部分は信号処理部１００を構成している。
【００１８】
ＲＦユニット１０２は、アンテナ１０１に接続され、基地局からの受信信号をアンテナ１０１を介して受信するユニットであり、ＡＧＣ回路１０３は、ＲＦユニット１０２にて受信された受信信号の受信レベルの利得制御を行う回路であり、ＡＦＣ回路１０４は、ＡＧＣ回路１０３にて利得制御が行われた受信信号の周波数制御を行う回路であり、変復調回路１０５は、ＡＦＣ回路１０４にて周波数制御が行われた受信信号を復調する回路であり、ベースバンド処理回路１０６は、変復調回路１０５にて復調された受信信号のベースバンド処理を行うとともにその受信信号の受信レベルを測定する受信レベル測定部に相当する回路である。
【００１９】
ベースバンド処理回路１０６には、本携帯情報通信端末の移動速度に関する速度情報を取得する速度情報取得部１０７と、本携帯情報通信端末に到達するパスに関するパスアサイン情報（例えば、近接するパス間の距離）を取得するパスアサイン情報取得部１０８とが接続されている。
【００２０】
温度センサ１２２は、ＴＣＸＯ１１０近傍の温度を検知するセンサであり、電池１２３は、本携帯情報通信端末内の各部に電源電圧を供給する電池であり、Ａ／Ｄ変換部１１６は、電池１２３の電池レベル、温度センサ１２２で検知されたＴＣＸＯ１１０近傍の温度をデジタルデータに変換して制御部１０９に入力する回路である。
【００２１】
低速クロック回路１１１は、低クロックを常時発生する回路である。この低速クロックは、非受信動作時に、後述する間欠制御部１２７内の間欠受信周期生成部１３２にて間欠受信周期を生成するために用いられる。ＴＣＸＯ１１０は、受信動作時には高速クロックを発生し、非受信動作時には停止される。ＰＬＬ回路１１２は、受信動作時に、ＴＣＸＯ１１０が起動された後に、ＴＣＸＯ１１０で発生した高速クロックをｎ逓倍した高速クロックを生成し、制御部１０９に入力する。
【００２２】
非受信動作時には、スイッチ１１３が低速クロック回路１１１側に切り替えられて、信号処理部１００内には低速クロックが供給される。これに対して、受信動作時には、スイッチ１１３がＴＣＸＯ１１０側に切り替えられて、制御部１０９にはＰＬＬ回路１１２からの高速クロックが供給され、信号処理部１００内の制御部１０９以外の部分にはＴＣＸＯ１１０からの高速クロックが供給される。なお、スイッチ１１３の切り替えは、後述する間欠制御部１２７内の起動制御部１２８にて行われる。
【００２３】
ＴＣＸＯ１１０および低速クロック回路１１１には、両者の周波数差をカウントする誤差カウンタ１１４が接続されている。
【００２４】
制御部１０９は、記録媒体１２５に格納されたプログラムを読み出し、読み出したプログラムに従って、各種制御を実行するＣＰＵである。この制御部１０９は、受信動作時には、ＴＣＸＯ１１０およびＰＬＬ回路１１２からの高速クロックを用いて動作を行う。ただし、非受信動作時には、制御部１０９内の後述する間欠制御部１２７のみが低速クロック回路１１１からの低速クロックを用いて動作を行い、制御部１０９内の間欠制御部１２７以外の部分は動作を停止する。この制御部１０９は、ＡＧＣ制御部１２４と、ＡＦＣ制御部１２５と、送受信制御部１２６とを有している。
【００２５】
ＡＧＣ制御部１２４は、ＡＧＣ回路１０３の制御を行う部分であり、ＡＦＣ制御部１２５は、ＡＦＣ回路１０４の制御を行う部分である。
【００２６】
送受信制御部１２６は、基地局からの受信信号の受信動作および基地局への送信信号の送信動作を制御する部分であり、特に、基地局からの受信信号の間欠的な受信動作を制御する部分として、間欠制御部１２７が設けられている。
【００２７】
間欠制御部１２７は、起動制御部１２８と、ＴＣＸＯ設定値算出部１２９と、ＡＧＣ回路起動タイミング算出部１３０と、受信レベル補正係数初期値算出部１３１と、間欠受信周期生成部１３２とを有している。なお、図１においては、間欠制御部１２７は、ＡＧＣ回路起動タイミング算出部１３０および受信レベル補正係数初期値算出部１３１の双方を備えた構成としているが、ＡＧＣ回路起動タイミング算出部１３０および受信レベル補正係数初期値算出部１３１のいずれか１つ以上を備えていれば良い。
【００２８】
ＴＣＸＯ設定値算出部１２９は、受信動作を終了する前に、電池１２３の電池レベル情報、および温度センサ１２２で検知されたＴＣＸＯ１１０近傍の温度情報を利用し、ＴＣＸＯ１１０に設定するＴＣＸＯ設定値を算出する。ＴＣＸＯ１１０では、受信動作開始時に、ＴＣＸＯ設定値算出部１２９により前回の受信動作時に算出されたＴＣＸＯ設定値に基づき、電池１２３の電池レベルおよびＴＣＸＯ１１０近傍の温度を判断して目標周波数を設定し、自己で発生する高速クロックを目標周波数に収束するよう動作を行う。
【００２９】
例えば、ＴＣＸＯ設定値算出部１２９は、下記数式１または数式２を用いてＴＣＸＯ設定値を算出することができる。この場合、数式１または数式２において、ｆ１、ｆ２に、それぞれ、電池レベル情報をａ、温度情報をｂとして入力し、ＴＣＸＯ設定値を算出する。
【００３０】
【数１】
2005260670.tif 000003
【００３１】
【数２】
2005260670.tif 000004
【００３２】
また、ＴＣＸＯ設定値算出部１２９は、電池レベル情報および温度情報を利用し、後述のテーブルを用いてＴＣＸＯ設定値を算出することとしても良い。
【００３３】
ＡＧＣ回路起動タイミング算出部１３０は、受信動作を終了する前に、速度情報取得部１０７で取得された速度情報、およびパスアサイン情報取得部１０８で取得されたパスアサイン情報の１つ以上を利用し、ＡＧＣ制御部１２４に設定するＡＧＣ回路起動タイミングを算出する。このＡＧＣ回路起動タイミングは、次回の受信動作時にＴＣＸＯ１１０を起動した後にＡＧＣ回路１０３を起動するタイミングを示すものであり、ＴＣＸＯ１１０での目標周波数に対する周波数誤差の許容値に相当するものである。ＡＧＣ制御部１２４では、受信動作開始時に、ＴＣＸＯ１１０の起動後、ＴＣＸＯ１１０での周波数誤差の値が、ＡＧＣ回路起動タイミング算出部１３０により前回の受信動作時に算出されたＡＧＣ回路起動タイミングと一致した時点で、ＡＧＣ回路１０３を起動する。
【００３４】
例えば、ＡＧＣ回路起動タイミング算出部１３０は、上記数式１または数式２を用いてＡＧＣ回路起動タイミングを算出することができる。この場合、数式１または数式２において、ｆ１、ｆ２に、それぞれ、パスアサイン情報をａ、速度情報をｂとして入力し、ＡＧＣ回路起動タイミングを算出する。
【００３５】
なお、ＡＧＣ回路起動タイミング算出部１３０は、数式１または数式２を用いてＡＧＣ回路起動タイミングを算出する場合も、すでに述べたようにパスアサイン情報、速度情報を全て利用する必要はなく、これらの情報を１つ以上利用すれば良い。ただし、当然のことながら、複数の情報を利用すれば、計算精度は向上し、算出された値が最適値により近づくと考えられる。しかし、実装上計算時間の制約、メモリ等の記録容量の制約があるため、これらの制約と計算精度とを勘案した上で利用する情報を選択する。
【００３６】
また、ＡＧＣ回路起動タイミング算出部１３０は、パスアサイン情報または速度情報の１つ以上を利用し、後述のテーブルを用いてＡＧＣ回路起動タイミングを算出することとしても良い。
【００３７】
受信レベル補正係数初期値算出部１３１は、受信動作を終了する前に、ベースバンド処理回路１０６で測定された受信レベル情報、およびＴＣＸＯ１１０から出力される周波数誤差情報を利用し、ＡＧＣ制御部１２４に設定する受信レベル補正係数初期値を算出する。ＡＧＣ制御部１２４では、受信動作開始時に、受信レベル補正係数初期値算出部１３１により前回の受信動作時に算出された受信レベル補正係数初期値を用いてＡＧＣ回路１０３に入力された受信信号の受信レベルを補正し、補正後の受信信号をＡＧＣ回路１０３に再入力する。
【００３８】
例えば、受信レベル補正係数初期値算出部１３１は、上記数式１または数式２を用いて受信レベル補正係数初期値を算出することができる。この場合、数式１または数式２において、ｆ１、ｆ２に、それぞれ、受信レベル情報をａ、周波数誤差情報をｂとして入力し、受信レベル補正係数初期値を算出する。
【００３９】
また、受信レベル補正係数初期値算出部１３１は、受信レベル補正係数初期値を算出する際に、前回の受信動作時にベースバンド処理回路１０６で測定された受信レベル情報だけでなく、前回の受信動作時にベースバンド処理回路１０６で測定された受信レベル情報や、今回の受信動作時までにベースバンド処理回路１０６で測定された受信レベル情報の累計値を利用しても良い。
【００４０】
例えば、受信レベル補正係数初期値算出部１３１は、受信レベル情報として、今回までの累計値を利用する場合、前回までの累計値をａn-1、今回の測定値をａとすると、忘却係数Ａ（０≦Ａ＜１：任意設定可能）を用いた移動平均式を採用して、今回までの累計値ａnを下記数式３により算出する。
【００４１】
【数３】
2005260670.tif 000005
【００４２】
また、受信レベル補正係数初期値算出部１３１は、受信レベル情報および周波数誤差情報を利用し、後述のテーブルを用いて受信レベル補正係数初期値を算出することとしても良い。
【００４３】
起動制御部１２８は、受信動作開始時に、ＴＣＸＯ設定値算出部１２９、ＡＧＣ回路起動タイミング算出部１３０、および受信レベル補正係数初期値算出部１３１にてそれぞれ算出されたＴＣＸＯ設定値、ＡＧＣ回路起動タイミング、および受信レベル補正係数初期値を取得し、取得した情報を用いて、ＴＣＸＯ１１０、ＰＬＬ回路１１２、ＡＧＣ制御部１２４の起動制御を行う。その他、起動制御部１２８は、受信動作への移行時および非受信動作への移行時に、スイッチ１１３の切り替え等も行う。
【００４４】
間欠受信周期生成部１３２は、非受信動作時に、低速クロック回路１１１からの低速クロックを用いて間欠受信周期を生成する。この間欠受信周期毎に、起動制御部１２８は、受信動作を開始することになる。
【００４５】
表示器１１８は、利用者へ必要な情報を表示する部分であり、マイクロホン１１９は、音声が入力される部分であり、スピーカ１２０は、音声が出力される部分であり、コーデック回路１１５は、マイクロホン１１９およびスピーカ１２０にて入出力される音声のコーデック処理を行う回路であり、操作部１２１は、利用者により本携帯情報通信端末への操作が行われる部分である。
【００４６】
記録部１１７は、上述のように制御部１０９にて実行されるプログラムを格納する。その他、ＴＣＸＯ設定値算出部１２９、ＡＧＣ回路起動タイミング算出部１３０、および受信レベル補正係数初期値算出部１３１にてそれぞれ算出された情報を格納することも可能である。
【００４７】
以下、図１に示した携帯情報通信端末の動作について説明する。なお、本実施形態の携帯情報通信端末は、通話動作や送信動作に関しては、周知の動作と同様の動作が行われるため、ここでは、間欠受信周期毎に間欠的に行われる受信動作の一例を説明する。
【００４８】
基地局からの受信信号を受信していない非受信動作時には、スイッチ１１３が低速クロック回路１１１側に切り替えられており、信号処理部１００内には、低速クロック回路１１１からの低速クロックが供給されている。また、制御部１０９内では、間欠制御部１２７以外の部分は動作を停止しており、間欠制御部１２７内では、間欠受信周期生成部１３２が低速クロック回路１１１からの低速クロックを用いて間欠受信周期を生成している。このような状況下で、間欠制御部１２７内では、起動制御部１２８が、間欠受信周期生成部１３２にて生成された間欠受信周期にしたがって、基地局からの受信信号を受信する受信動作を開始する。
【００４９】
図２を参照すると、まず、起動制御部１２８は、受信動作を開始するに際し、前回の受信動作時にＴＣＸＯ設定値算出部１２９、ＡＧＣ回路起動タイミング算出部１３０、および受信レベル補正係数初期値算出部１３１にてそれぞれ算出されたＴＣＸＯ設定値、ＡＧＣ回路起動タイミング、および受信レベル補正係数初期値を取得する（ステップ２０１〜２０３）。
【００５０】
次に、起動制御部１２８は、ステップ２０１で取得したＴＣＸＯ設定値をＴＣＸＯ１１０に設定し、ＴＣＸＯ１１０を起動するとともに（ステップ２０４）、ステップ２０２，２０３で取得したＡＧＣ回路起動タイミングおよび受信レベル補正係数初期値をＡＧＣ制御部１２４に設定し、ＡＧＣ制御部１２４を起動する（ステップ２０５）。
【００５１】
次に、ＴＣＸＯ１１０は、起動制御部１２８により設定されたＴＣＸＯ設定値に基づき、電池１２３の電池レベルおよびＴＣＸＯ１１０近傍の温度を判断し、電池レベルおよび温度に応じた周波数を目標周波数に設定し、以降、ＴＣＸＯ１１０は、自己が発生する高速クロックが目標周波数に収束するよう動作を開始する。また、現在発生している高速クロックの周波数と目標周波数との周波数誤差値を算出し、間欠制御部１２７内の起動制御部１２８およびＡＧＣ制御部１２４へ出力する（ステップ２０６）。
【００５２】
ここで、起動制御部１２８は、ＴＣＸＯ１１０から出力された周波数誤差値に基づき、ＰＬＬ回路１１２を起動できる状態にあるか判断し（ステップ２０７）、起動できる状態にあると判断した場合はＰＬＬ回路１１２を起動する（ステップ２０８）。
【００５３】
一方、ＡＧＣ制御部１２４は、ＴＣＸＯ１１０から出力された周波数誤差値が、ステップ２０２で取得したＡＧＣ回路起動タイミングと一致するか否かに基づき、ＡＧＣ回路１０３を起動できる状態にあるか判断し（ステップ２０９）、起動できる状態にあると判断した場合はＡＧＣ回路１０３を起動する（ステップ２１０）。
【００５４】
ステップ２０９でＡＧＣ回路１０３を起動した直後にＡＧＣ回路１０３に入力された受信信号は、ＴＣＸＯ１１０が目標周波数に到達していない状態で入力されたものと考えられるため、ＴＣＸＯ１１０が目標周波数に到達した時の真の受信レベルとはレベル差が生じている。そこで、ＡＧＣ制御部１２４は、ＴＣＸＯ１１０から出力された周波数誤差値、および起動制御部１２８により設定された受信レベル補正係数初期値に基づき受信レベル補正係数を算出し、算出した受信レベル補正係数を用いて、ＡＧＣ回路１０３に入力された受信信号を真の受信レベルに補正し、補正後の受信信号をＡＧＣ回路１０３に再入力する（ステップ２１１）。これにより、ＴＣＸＯ１１０にて発生する周波数が目標周波数に到達し、出力が安定するのを待たずに、ＡＧＣ回路１０３の起動動作および安定化動作を行うことが可能となる。
【００５５】
起動制御部１２８は、ＴＣＸＯ１１０およびＰＬＬ回路１１２の出力が安定した後に（ステップ２１２，２１３）、スイッチ１１３をＴＣＸＯ１１０側に切り替えて、制御部１０９にＴＣＸＯ１１０およびＰＬＬ回路１１２からの高速クロックを供給する。また、信号処理部１００内の制御部１０９以外の部分にＴＣＸＯ１１０からの高速クロックを供給するとともに、制御部１０９内の間欠制御部１２７以外の部分を起動する。さらに、ＡＧＣ回路１０３の出力が安定した後に（ステップ２１４）、基地局からの受信信号を受信する受信処理を行う（ステップ２１５）。なお、ＡＧＣ回路１０３の出力が安定した後の受信動作に関しては、周知の技術を利用すればよいため、ここでは説明を省略する。
【００５６】
その後、受信動作を終了する場合、その前段階で、ＴＣＸＯ設定値算出部１２９、ＡＧＣ回路起動タイミング算出部１３０、および受信レベル補正係数初期値算出部１３１のそれぞれは、ＴＣＸＯ設定値、ＡＧＣ回路起動タイミング、および受信レベル補正係数初期値のパラメータを算出する処理を行う（ステップ２１６）。
【００５７】
また、起動制御部１２８は、制御部１０９内の間欠制御部１２７以外の部分の動作を停止させ、それに続いて、ＴＣＸＯ１１０およびＰＬＬ回路１１２の動作を停止させた後、スイッチ１１３を低速クロック回路１１１側に切り替える（ステップ２１７）。
【００５８】
次に、図２に示したステップ２１６において、受信動作を終了する前に行われるパラメータ算出処理の一例を説明する。
【００５９】
本携帯情報通信端末では、受信動作を開始した直後は、低速クロック回路１１１からの低速クロックのみで動作する必要があるため、複雑な演算等を行うことは困難である。そこで、受信動作を終了する前に（ＴＣＸＯ１１０からの高速クロックでの動作時）、ＴＣＸＯ設定値、ＡＧＣ回路起動タイミング、および受信レベル補正係数初期値のパラメータを算出しておき、そのパラメータを用いて次回の受信動作開始時にＴＣＸＯ１１０の起動および安定化動作、ＡＧＣ回路１０３の起動動作および安定化動作を行うこととしている。なお、図２に示したステップ２１６において、パラメータを算出する際には、上述のように、上記の数式１または数式２を用いて算出することも可能であるが、ここでは、記録部１１７等に格納されるテーブルを用いてパラメータを算出する場合を例に挙げて説明する。
【００６０】
図３を参照すると、ＴＣＸＯ設定値算出部１２９は、電池１２３の電池レベル情報、および温度センサ１２２で検知されたＴＣＸＯ１１０近傍の温度情報を、Ａ／Ｄ変換部１１６を介してデジタルデータとして取得する（ステップ３０１，３０２）。そして、電池レベル情報および温度レベル情報を利用して、テーブルを用いて、ＴＣＸＯ１１０に設定するＴＣＸＯ設定値を算出する（ステップ３０３）。
【００６１】
例えば、ＴＣＸＯ設定値算出部１２９は、下記表１に示すような２次元テーブル（電池レベルをｃ、温度レベルをｄとしているもの）を用い、電池レベル、温度レベルの値ｃ，ｄに該当する値ｅをＴＣＸＯ設定値とする。なお、電池レベル、温度レベルの値が中間値である場合は、そのような中間値を補間計算してからＴＣＸＯ設定値を求めても良い。
【００６２】
【表１】
2005260670.tif 000006
【００６３】
または、ＴＣＸＯ設定値算出部１２９は、下記表２に示すような１次元テーブル（電池レベルをｃとしているもの）を用い、電池レベルの値ｃに該当する値Ｃを決定するとともに、下記表３に示すような１次元テーブル（温度レベルをｄとしているもの）を用い、温度レベルの値ｄに該当する値Ｄを決定し、さらに、このＣ，Ｄと、ＴＣＸＯ設定値のベース値を示すｅ００とを用いて、下記数式４により算出した値ｅをＴＣＸＯ設定値とする。
【００６４】
【表２】
2005260670.tif 000007
【００６５】
【表３】
2005260670.tif 000008
【００６６】
【数４】
2005260670.tif 000009
【００６７】
ＡＧＣ回路起動タイミング算出部１３０は、速度情報取得部１０７で取得された速度情報、およびパスアサイン情報取得部１０８で取得されたパスアサイン情報を取得する（ステップ３０４，３０５）。そして、速度情報およびパスアサイン情報のいずれか１つ以上を利用して、テーブルを用いて、ＡＧＣ制御部１２４に設定するＡＧＣ回路起動タイミングを算出する（ステップ３０６）。
【００６８】
例えば、ＡＧＣ回路起動タイミング算出部１３０は、速度情報およびパスアサイン情報を両方用いてＡＧＣ回路起動タイミングを算出する場合、上記表１に示すような２次元テーブル（速度レベルをｃ、パスアサインレベルをｄとしているもの）を用い、速度レベル、パスアサインレベルの値ｃ，ｄに該当する値ｅをＡＧＣ回路起動タイミングとする。なお、速度レベル、パスアサインレベルの値が中間値である場合は、そのような中間値を補間計算してからＴＣＸＯ設定値を求めても良い。
【００６９】
または、ＡＧＣ回路起動タイミング算出部１３０は、上記表２に示すような１次元テーブル（速度レベルをｃとしているもの）を用い、速度レベルの値ｃに該当する値Ｃを決定するとともに、上記表３に示すような１次元テーブル（パスアサインレベルをｄとしているもの）を用い、パスアサインレベルの値ｄに該当する値Ｄを決定し、さらに、このＣ，Ｄと、ＡＧＣ回路起動タイミングのベース値を示すｅ００とを用いて、上記数式４により算出した値ｅをＡＧＣ回路起動タイミングとする。
【００７０】
受信レベル補正係数初期値算出部１３１は、ベースバンド処理回路１０６で測定された受信レベル情報、およびＴＣＸＯ１１０から出力された周波数誤差情報を取得する（ステップ３０７，３０８）。そして、受信レベル情報および周波数誤差情報を利用して、テーブルを用いて、受信レベル補正係数初期値を算出する（ステップ３０９）。
【００７１】
例えば、受信レベル補正係数初期値算出部１３１は、上記表１に示すような２次元テーブル（受信レベルをｃ、周波数誤差レベルをｄとしているもの）を用い、受信レベル、周波数誤差レベルの値ｃ，ｄに該当する値ｅを受信レベル補正係数初期値とする。なお、受信レベル、周波数誤差レベルの値が中間値である場合は、そのような中間値を補間計算してから受信レベル補正係数初期値を求めても良い。
【００７２】
または、受信レベル補正係数初期値算出部１３１は、上記表２に示すような１次元テーブル（受信レベルをｃとしているもの）を用い、受信レベルの値ｃに該当する値Ｃを決定するとともに、上記表３に示すような１次元テーブル（周波数誤差レベルをｄとしているもの）を用い、周波数誤差レベルの値ｄに該当する値Ｄを決定し、さらに、このＣ，Ｄと、受信レベル補正係数初期値のベース値を示すｅ００とを用いて、上記数式４により算出した値ｅを受信レベル補正係数初期値とする。
【００７３】
その後、起動制御部１２８は、ステップ３０１〜３０９で算出された、ＴＣＸＯ設定値、ＡＧＣ回路起動タイミング、および受信レベル補正係数初期値を、記録部１２５または間欠制御部１２７内のメモリ（不図示）等に保存する（ステップ３１０）。
【００７４】
なお、各々のテーブルの値は、物理的に設定可能な範囲内で、ＴＣＸＯ設定値、ＡＧＣ回路起動タイミング設定値、受信レベル補正係数初期値が所望の値となるように、任意の値に設定可能である。ただし、ＡＧＣ回路起動タイミングの算出に用いるテーブルの値については、本携帯情報通信端末へ到達するパスが２以上存在し、かつこれらのパスが時間的に近接している場合や、本携帯情報通信端末の移動速度が速い場合には、ＡＧＣ回路起動タイミングを遅くなるように設定するのが好ましい。
【００７５】
上述したように本実施形態においては、間欠受信周期毎に間欠的に受信動作を行う場合、受信動作開始時に、前回の受信動作時に算出されたＴＣＸＯ設定値、ＡＧＣ回路起動タイミング、受信レベル補正係数初期値を用いて、ＴＣＸＯ１１０の起動および安定化動作、ＡＧＣ回路１０３の起動および安定化動作を行っているため、起動時間の短縮化を図ることができる。
【００７６】
また、ＡＧＣ回路起動タイミング算出部１３０において、受信動作を終了する前に、速度情報およびパスアサイン情報の１つ以上を利用して、ＴＣＸＯ１１０での目標周波数に対する周波数誤差の許容値に相当するＡＧＣ回路起動タイミングを算出し、ＡＧＣ制御部１２４において、受信動作開始時に、前回の受信動作時に算出されたタイミングでＡＧＣ回路１０３を起動しているため、ＴＣＸＯ１１０の起動後にＴＣＸＯ１１０の出力が安定するのを待たずとも、ＴＣＸＯ１１０の出力が許容値に到達した時点でＡＧＣ回路１０３の起動動作を行うことができ、それにより、起動時間のさらなる短縮化を図ることができる。
【００７７】
また、受信レベル補正係数初期値算出部１３１において、受信動作を終了する前に、受信レベル情報およびＴＣＸＯ１１０での目標周波数に対する周波数誤差情報を利用して受信レベル補正係数初期値を算出し、ＡＧＣ制御部１２４において、受信動作開始時に、前回の受信動作時に算出された受信レベル補正係数初期値を用いて、ＡＧＣ回路１０３に入力された受信信号の受信レベルを補正しているため、ＴＣＸＯ１１０の起動後にＴＣＸＯ１１０の出力が安定するのを待たずとも、ＡＧＣ回路１０３の出力を安定化させる動作を行うことができ、それにより、起動時間のさらなる短縮化を図ることができる。
【００７８】
したがって、本実施形態においては、受信動作開始時の起動時間のさらなる短縮化を図るためには、ＡＧＣ回路起動タイミング算出部１３０および受信レベル補正係数初期値算出部１３１の双方を備えている必要はなく、いずれか１つ以上を備えていれば良い。
【００７９】
すなわち、ＡＧＣ回路起動タイミング算出部１３０のみを設け、受信レベル補正係数初期値算出部１３１を設けない構成とした場合も、ＴＣＸＯ１１０の出力が安定するのを待たずに、ＴＣＸＯ１１０の出力が速度情報またはパスアサイン情報に基づく許容値に到達した時点でＡＧＣ回路１０３の起動動作を行うことができるため、起動時間の短縮化を図ることができる。ただし、この構成では、ＡＧＣ回路１０３の出力を安定させることは意図していないため、ＡＧＣ回路１０３の出力が安定化するまでの時間は増大すると考えられる。そのため、ＡＧＣ回路１０３の出力が安定化するまでの時間を短縮するためには、受信レベル補正係数初期値算出部１３１を設け、ＡＧＣ制御部１２４において、受信レベル補正係数初期値を用いて上記と同様の動作を行うことが好ましい。
【００８０】
逆に、受信レベル補正係数初期値算出部１３１のみを設け、ＡＧＣ回路起動タイミング算出部１３０を設けない構成とした場合も、ＴＣＸＯ１１０の出力が安定するのを待たずに、ＡＧＣ回路１０３の出力を安定化させることができるため、起動時間の短縮化を図ることができる。この構成では、ＡＧＣ制御部１２４では、ＴＣＸＯ１１０での周波数誤差に基づく任意のタイミングでＡＧＣ回路１０３を起動することになる。しかし、本携帯情報通信端末の通信状況（移動状況や、パス状況）によっては、ＴＣＸＯ１１０の出力が許容値に到達した時点で、ＡＧＣ回路１０３を起動できる場合もあると考えられる。ところが、この構成では、このような場合にも、早めにＡＧＣ回路１０３を起動することはできない。そのため、ＡＧＣ回路１０３を早めに起動できる状況にある場合に、ＡＧＣ回路１０３の起動時間を短縮するためには、ＡＧＣ回路起動タイミング算出部１３０を設け、ＡＧＣ制御部１２４において、ＡＧＣ回路起動タイミングを用いて上記と同様の動作を行うことが好ましい。
【００８１】
また、本実施形態においては、受信動作を終了する前に、ＴＣＸＯ１１０およびＰＬＬ回路１１２からの高速クロックを用いて、ＴＣＸＯ設定値、ＡＧＣ回路起動タイミング、受信レベル補正係数初期値を算出している。しかし、ＴＣＸＯ設定値、ＡＧＣ回路起動タイミング、受信レベル補正係数初期値は、次回の受信動作開始時までに算出されていれば良く、また、低速クロックのみで動作する必要がある場合にも、上記のようにテーブルを用いた程度の演算は可能である。そのため、本実施形態は、非受信動作時に、低速クロック回路５からの低速クロックを用いて、ＴＣＸＯ設定値、ＡＧＣ回路起動タイミング、受信レベル補正係数初期値を算出することとしても良い。
【００８２】
また、本実施形態においては、ＴＣＸＯ１１０の周波数誤差情報を、ＡＧＣ制御部１２４が受信信号の受信レベルの補正動作を開始した時の周波数誤差との大小を示すＵＰ／ＤＯＷＮ情報としてパルスで伝達するようにしても良い。この構成によれば、周波数誤差情報そのものを伝達していた場合は数ｂｉｔ分のバス接続が必要であったのに対し、パルス伝達用の配線のみが必要になるだけなので、配線数を削減することができる。
【００８３】
また、本実施形態においては、ＡＧＣ制御部１２４において、受信レベル補正係数初期値のみに基づき受信レベル補正係数を算出することとしても良い。この構成によれば、ＴＣＸＯ１１０からＡＧＣ制御部１２４に周波数誤差情報を伝達する配線を削減することができる。
【００８４】
また、本実施形態においては、ＴＣＸＯ設定値、ＡＧＣ回路起動タイミング、受信レベル補正係数初期値の算出結果を複数回分保存しておき、本携帯情報通信端末の受信状態がほぼ同じと判断される場合には（例えば、静止している等）、ＴＣＸＯ設定値、ＡＧＣ回路起動タイミング、受信レベル補正係数初期値を算出することなく前回の算出結果をそのまま利用することとしても良い。この構成によれば、演算に係る消費電力を低減することも可能である。
【００８５】
また、本実施形態においては、本携帯情報通信端末の受信状態がほぼ同じと判断される場合には（例えば、静止している等）、ＴＣＸＯ１１０およびＡＧＣ回路１０３の設定値も最終的に同じになると考えられるため、ＴＣＸＯ１１０およびＡＧＣ回路１０３の起動タイミングを段階的に早めることとし、起動を高速化することも可能である。
【００８６】
また、本実施形態においては、本携帯情報通信端末の起動が失敗した時には、設定を初期状態に戻してから、再調整を行うようにしても良い。この構成によれば、前回の受信動作時から受信状態が急変した時にも対応可能となる。
【図面の簡単な説明】
【００８７】
【図１】本発明の一実施形態による携帯情報通信端末の構成を示すブロック図である。
【図２】図１に示した携帯情報通信端末の受信動作を説明するフローチャートである。
【図３】図２に示したステップ２１６のパラメータ算出処理を説明するフローチャートである。
【符号の説明】
【００８８】
１００    信号処理部
１０１    アンテナ
１０２    ＲＦユニット
１０３    ＡＧＣ回路
１０４    ＡＦＣ回路
１０５    変復調回路
１０６    ベースバンド処理回路
１０７    速度情報取得部
１０８    パスアサイン情報取得部
１０９    制御部
１１０    ＴＣＸＯ
１１１    低速クロック回路
１１２    ＰＬＬ回路
１１３    スイッチ
１１４    誤差カウンタ
１１５    コーデック回路
１１６    Ａ／Ｄ変換部
１１７    記録部
１１８    表示器
１１９    マイクロホン
１２０    スピーカ
１２１    操作部
１２２    温度センサ
１２３    電池
１２４    ＡＧＣ制御部
１２５    ＡＧＣ回路
１２６    送受信制御部
１２７    間欠制御部
１２８    起動制御部
１２９    ＴＣＸＯ設定値算出部
１３０    ＡＧＣ回路起動タイミング算出部
１３１    受信レベル補正係数初期値算出部
１３２    間欠受信周期生成部
【図１】
2005260670.tif 000010
【図２】
2005260670.tif 000011
【図３】
2005260670.tif 000012